(57)【要約】【課題】バックライトを使用する液晶表示パネルにおいて、カラーフィルタ基板のブラックマトリクスからの反射光に起因するａ−Ｓｉ層を有するＴＦＴの光リーク電流を減少させた、表示画質が良好な液晶表示パネルを提供すること。【解決手段】本発明の液晶表示パネルは１０Ａは、マトリクス状に配列された走査線及び信号線で囲まれる各画素領域にａ−ＳｉＴＦＴが形成されたアレイ基板と、走査線２０、信号線２１及びＴＦＴに対応する位置に形成されたブラックマトリクス１４、及び、少なくとも赤、緑及び青のそれぞれストライプ状のカラーフィルタ層１５Ｒ、１５Ｇ、１５Ｂを有するカラーフィルタ基板と、を備え、前記緑のカラーフィルタ層１５Ｇのうち、前記ＴＦＴに対応する位置及び前記ＴＦＴに隣接する走査線２０及び信号線２１に対応する位置のブラックマトリクスの表面は他の色のカラーフィルタ層１５Ｂ'で置換されていることを特徴とする。【選択図】図１
2008233728.tif 000002
【特許請求の範囲】
【請求項１】
マトリクス状に配列された走査線及び信号線で囲まれる各画素領域にアモルファスシリ
コン層を有する薄膜トランジスタが形成されたアレイ基板と、
前記走査線、信号線及び薄膜トランジスタに対応する位置に形成されたブラックマトリ
クス、及び、前記ブラックマトリクス上及び前記ブラックマトリクスで囲まれた領域に形
成された少なくとも赤、緑及び青のそれぞれのカラーフィルタ層を有するカラーフィルタ
基板と、
を備えた液晶表示パネルにおいて、
前記緑のカラーフィルタ層のうち、前記薄膜トランジスタに対応する位置及び前記薄膜
トランジスタに隣接する走査線及び信号線に対応する位置のブラックマトリクスの表面は
他の色のカラーフィルタ層で置換されていることを特徴とする液晶表示パネル。
【請求項２】
前記緑のカラーフィルタ層のうち、前記走査線に対応する位置のブラックマトリクスの
表面は全て他の色のカラーフィルタ層で置換されていることを特徴とする請求項１に記載
の液晶表示パネル。
【請求項３】
前記他の色のカラーフィルタ層の大きさは対応する位置のブラックマトリクスよりも小
さいことを特徴とする請求項１に記載の液晶表示パネル。
【請求項４】
前記他の色のカラーフィルタ層は青のカラーフィルタ層であることを特徴とする請求項
１〜３のいずれかに記載の液晶表示パネル。
【発明の詳細な説明】
【技術分野】
【０００１】
本発明は、バックライトを使用する液晶表示パネルにおいて、特に従来の製造工程の大
幅な変更無しに製造でき、カラーフィルタ基板のブラックマトリクスからの反射光に起因
するアモルファスシリコン（ａ−Ｓｉ）層を有する薄膜トランジスタＴＦＴ（Thin Film 
Transistor）の光リーク電流を減少させた、表示画質が良好な液晶表示パネルに関する。
【背景技術】
【０００２】
ａ−Ｓｉを使用したＴＦＴは、製造プロセスの低温化が可能なため、液晶表示パネルの
スイッチング素子として広く使用されている。このａ−Ｓｉは光が当たると光電流が発生
するため、通常はゲート電極が下側となり、ａ−Ｓｉ層がゲート電極の上側となる逆スタ
ガ型のＴＦＴとして形成し、バックライトからの光をゲート電極で遮光することによって
ａ−Ｓｉ層に直接バックライトからの光が当たらないように形成されている。
【０００３】
しかしながら、近年は液晶表示パネルにおいても明るい表示が求められるようになって
きていることから、バックライトとしてより高輝度（例えば１００００ｃｄないしそれ以
上）の光源が使用されるようになってきている。しかしながら、このような高輝度のバッ
クライトを使用すると、このバックライトの明るさに比例して迷走光や反射光等によって
ＴＦＴに生じる光リーク電流が大きくなる。
【０００４】
特に、人間の視感度が最も高い緑領域の光は、僅かな発色でも人間の目に感じられる色
であるため、ＴＦＴが光リークを起こすと視感度の高い緑色領域の光が強く感じられる。
このようなＴＦＴの光リーク電流は、例えば黒表示の場合、ノーマリーホワイト型の液晶
表示パネルにおいては緑色がかった黒色となり、また、ノーマリーブラック型の液晶表示
パネルにおいては紫がかった黒色となってしまう。また、白表示の場合Ｒ，Ｇ，Ｂの３原
色のカラーフィルタを使用した液晶表示パネルにおいては、白表示をさせた際に緑の発色
が相対的に少なくなるため、人の目には青と赤が顕著になり紫色がかった白色の表示不良
として現れる。
【０００５】
このようなＴＦＴの光リーク電流を低減させるため、下記特許文献１〜３には透明基板
側にＴＦＴよりも大きい遮光膜を形成した液晶表示パネルが開示されている。なお、下記
特許文献４には、ＴＦＴの光リーク電流に関する記載はないが、ＴＦＴのチャネル形成領
域を赤色のカラーフィルタ層で被覆することにより光によるＴＦＴの劣化を防止した液晶
表示パネルが開示されている。
【特許文献１】特開平  ９−  ９０４０９号公報
【特許文献２】特開２０００−  ４７２５４号公報
【特許文献３】特開２０００−２９８２９０号公報
【特許文献４】特開２００６−１２６８５５号公報
【発明の開示】
【発明が解決しようとする課題】
【０００６】
上記特許文献１〜３に開示されている液晶表示パネルのように、透明基板側にＴＦＴよ
りも大きい遮光膜を形成すれば、バックライトから直接ＴＦＴに入射する光を遮光膜によ
って有効に遮光することができるため、ＴＦＴの光リーク電流を低減させることができる
。しかしながら、近年の携帯電話機に代表される携帯用機器においては、高精細化の進展
とともに個々の画素のサイズも非常に小さくなっている。
【０００７】
このような小さな画素において透明基板側に遮光膜を形成すると、この遮光膜はＴＦＴ
よりも大きく形成されているため、表示に使用される領域のバックライトからの光も遮っ
てしまい、輝度の低下をもたらしてしまう。加えて、マスクずれ等によって少しでも遮光
膜の形成位置がずれると、それの分だけ１画素の輝度が低下してしまうことにもなる。
【０００８】
また、高輝度のバックライトを使用した場合には、カラーフィルタ基板側のブラックマ
トリクスからの反射光によってもＴＦＴに光リーク電流が流れることが見出されている。
この現象を図５〜７を用いて説明する。
【０００９】
なお、図５は、従来の液晶表示パネルのカラーフィルタ基板側から見た数画素分の平面
図であり、図６は図５のブラックマトリクスを透視した平面図であり、図７（ａ）は図５
のＣ−Ｃ線に沿った模式断面図であり、図７（ｂ）は図５のＣ'−Ｃ'線に沿った模式断面
図であり、図７（ｃ）はＴＦＴに反射光が入射する原理を説明するため１画素分の拡大模
式断面図である。
【００１０】
この液晶表示パネル１０Ｃは、ガラス等の透明基板１１上の各画素領域にａ−Ｓｉ層１
２（図７（ｃ）参照）を有する薄膜トランジスタＴＦＴが形成されたアレイ基板ＡＲを備
えている。このａ−Ｓｉ層１２を有する薄膜トランジスタＴＦＴの構成は、逆スタガ型ａ
−ＳｉＴＦＴとして周知であるので、その詳細な説明は省略する。また、別の透明基板１
３上には、アレイ基板ＡＲの走査線２０、信号線２１及びＴＦＴに対応する位置に例えば
クロム金属からなるブラックマトリクス１４が形成され、このブラックマトリクス１４上
及びブラックマトリクス１４で囲まれた領域には、例えば、Ｒ、Ｇ及びＢの３色のカラー
フィルタ層１５Ｒ、１５Ｇ、１５Ｂが、それぞれストライプ状に形成されている。
【００１１】
そして、図５及び図７（ａ）及び図７（ｂ）の記載から明らかなように、ブラックマト
リクス１４は透明基板１１の表面においてアレイ基板ＡＲの走査線２０、信号線２１及び
ＴＦＴに対応する位置を遮光するように形成されている。また、図６に示したとおり、カ
ラーフィルタ層１５Ｒ、１５Ｇ、１５ＢはＲ、Ｇ、Ｂのそれぞれについてブラックマトリ
クス１４と一部がオーバーラップするようにストライプ状に形成されている。
【００１２】
この液晶表示パネル１０Ｃにおいては、図７（ｃ）に示したように、バックライト(図
示せず)からの入射光がブラックマトリクス１４に当たると、一部の入射光が反射されて
ＴＦＴのａ−Ｓｉ層１２に入射する。そのため、バックライトの輝度が高くなれば高くな
るほど、それに比例してＴＦＴの光リーク電流が増加することになる。
【００１３】
上記特許文献１〜３に開示されている液晶表示パネルの遮光膜は、バックライトからＴ
ＦＴ側に直接向かう光を遮光するためのものであるので、何れも上述のようなカラーフィ
ルタ基板側のブラックマトリクスからの反射光に対しては対処することはできない。
【００１４】
一方、上記特許文献４に開示されている液晶表示パネルにおいては、ＴＦＴの表面が赤
色のカラーフィルタ層によって被覆されている。そのため、この赤色のカラーフィルタ層
は、ある程度カラーフィルタ基板側のブラックマトリクスからの反射光を吸収できるため
に、これらの反射光によるＴＦＴの光リーク電流は一応抑制することが可能である。しか
しながら、ＴＦＴの表面に赤色のカラーフィルタ層を形成するには、別途余分な工程を必
要とするため、製造工数の増加及びコストの増大に繋がる。
【００１５】
また、クロム金属からなるブラックマトリクスに対して表面処理を行うことにより反射
光を減少させる方法も考えられるが、この場合は製造工程を変更する必要があり、場合に
よっては装置の改造が必要な場合もあるので、直ちには採用し難い。また、クロム金属製
ブラックマトリクスよりも反射率が低い樹脂製ブラックマトリクスを使用することも考え
られるが、この場合も製造工程の大幅な変更が必要となる。
【００１６】
本発明は、上述のような従来技術の問題点を解決すべくなされたものであって、バック
ライトを使用する液晶表示パネルにおいて、特に従来の製造工程の大幅な変更無しに製造
でき、カラーフィルタ基板のブラックマトリクスないしカラーフィルタからの反射光に起
因するＴＦＴの光リーク電流を減少させた、表示画質が良好な液晶表示パネルを提供する
ことを目的とする。
【課題を解決するための手段】
【００１７】
上記目的を達成するため、本発明の液晶表示パネルは、マトリクス状に配列された走査
線及び信号線で囲まれる各画素領域にアモルファスシリコン層を有する薄膜トランジスタ
が形成されたアレイ基板と、前記走査線、信号線及び薄膜トランジスタに対応する位置に
形成されたブラックマトリクス、及び、前記ブラックマトリクス上及び前記ブラックマト
リクスで囲まれた領域に形成された少なくとも赤、緑及び青のそれぞれのカラーフィルタ
層を有するカラーフィルタ基板と、を備えた液晶表示パネルにおいて、前記緑のカラーフ
ィルタ層のうち、前記薄膜トランジスタに対応する位置及び前記薄膜トランジスタに隣接
する信号線及び走査線に対応する位置のブラックマトリクスの表面は他の色のカラーフィ
ルタ層で置換されていることを特徴とする。
【００１８】
ａ−Ｓｉ層は緑色領域の光を吸収し易い。また、緑色領域の光は、人間の視感度が最も
高い領域であり、僅かな発色でも人間の目に感じられる色である。一方、Ｒ、Ｇ、Ｂの３
原色のカラーフィルタ層を使用した液晶表示パネルでは、Ｒのフィルタ層は赤色領域の光
を透過させるが緑色領域及び青色領域の光は吸収する。また、Ｇのフィルタ層は緑色領域
の光を透過させるが赤色領域及び青色領域の光は吸収する。同じく、Ｂのフィルタ層は青
色領域の光を透過させるが赤色領域及び緑色領域の光は吸収する。
【００１９】
このように、緑のカラーフィルタ層に形成する他の色のカラーフィルタ層は、緑色領域
の光を吸収するから、ＴＦＴの表面到達する反射光の緑色領域の光は少なくなるので、Ｔ
ＦＴの光リーク電流に起因する各画素領域の発光が少なくなる。なお、本発明は、上述の
ように３原色のカラーフィルタを使用した液晶表示パネルの場合だけでなく、４色ないし
はそれ以上のカラーフィルタを使用した液晶表示パネルの場合にも適用できる。
【００２０】
しかも、本発明の液晶表示パネルは、Ｇのカラーフィルタ層の一部を他の色のカラーフ
ィルタ層に置換したカラーフィルタ基板を用いているので、従来のカラーフィルタ基板の
製造工程をほとんど変更しなくてもすむ。
【００２１】
なお、本発明の液晶表示パネルは、透過型液晶表示パネルだけでなく、半透過型液晶表
示パネル等バックライトを使用しているものであれば等しく適用可能である。更に、従来
から多く採用されているＴＮ（Twisted Nematic）方式の液晶表示パネルの場合だけでな
く、ＶＡ（Vertical Alignment）方式の液晶表示パネルやＭＶＡ（Multi-domain Vertica
l Alignment）方式の液晶表示パネルの場合においても等しく適用可能である。
【００２２】
また、本発明の液晶表示パネルにおいては、前記緑のカラーフィルタ層のうち、前記走
査線に対応する位置のブラックマトリクスの表面は全て他の色のカラーフィルタ層で置換
されていることが好ましい。本発明の液晶表示パネルにおいては、緑のカラーフィルタ層
のうち、他の色のカラーフィルタ層で置換する箇所は、ＴＦＴに隣接する信号線及び走査
線に対応する位置のみでも良好な効果を奏するが、走査線に対応する位置の全てを他の色
のカラーフィルタ層に置換すると最も良好な効果を奏する。
【００２３】
また、本発明の液晶表示パネルにおいては、前記他の色のカラーフィルタ層の大きさは
対応する位置のブラックマトリクスよりも小さいことが好ましい。他の色のカラーフィル
タ層は、ブラックマトリクスよりも僅かでもはみ出ると他の色のカラーフィルタ層を透過
してしまう光が増加してしまい、緑の色味に影響を与えてしまうためである。
【００２４】
また、本発明の液晶表示パネルにおいては、前記他の色のカラーフィルタ層は青のカラ
ーフィルタ層であることが好ましい。ａ−Ｓｉ層は、緑色領域の光を吸収し易いが、青色
領域の光は緑色領域の光よりも吸収し難い。また、青のカラーフィルタ層は、光の透過率
が低いため、反射光の強度をより低くすることができる。そのため、他の色のカラーフィ
ルタ層として青のカラーフィルタ層を用いると、本発明の効果が顕著に現れる。
【発明を実施するための最良の形態】
【００２５】
以下、本発明を実施するための最良の形態をＲＧＢの３原色のカラーフィルタを使用し
た透過型の液晶表示パネルの場合を例にとって図面を参照しながら詳細に説明する。また
、以下に述べる各実施形態は本発明をここに記載したものに限定することを意図するもの
ではなく、本発明は特許請求の範囲に示した技術思想を逸脱することなく種々の変更を行
ったものにも均しく適用し得るものである。
【００２６】
なお、以下の各実施例の液晶表示パネルにおいて、カラーフィルタ基板のブラックマト
リクスの配置、アレイ基板の走査線、信号線及びＴＦＴの配置は、それぞれ図５及び図６
に示した従来例のものと同様であり、また、図５のＣ−Ｃ線に対応する位置の模式断面図
は図７（ｃ）に示した従来例のものと同様であり、更に、ＴＦＴの詳細な構成も図７（ｃ
）に示した従来例のものと同様であるので、従来例の液晶表示パネル１０Ｃと同一構成部
分には同一の参照符号を付与してその詳細な説明は省略する。
【００２７】
なお、図１は実施例１の液晶表示パネル１０Ａにおけるカラーフィルタ基板側から見た
ブラックマトリクスを透視した数画素分の平面図であり、図２（ａ）は図１のＡ−Ａ線に
沿った模式断面図、図２（ｂ）は図１のＡ'−Ａ'線に沿った模式断面図である。また、図
３は実施例２の液晶表示パネル１０Ｂにおけるカラーフィルタ基板側から見たブラックマ
トリクスを透視した数画素分の平面図であり、図４（ａ）は図３のＢ−Ｂ線に沿った模式
断面図、図４（ｂ）は図３のＢ'−Ｂ'線に沿った模式断面図である。
【実施例１】
【００２８】
実施例１の液晶表示パネル１０Ａが上述した従来例の液晶表示パネル１０Ｃと構成が相
違する点は、Ｇのカラーフィルタ層１５Ｇにおいて、アレイ基板ＡＲのＴＦＴに対応する
位置、走査線２０に対応する位置及びＴＦＴに隣接する位置の信号線２１に設けられてい
るＧのカラーフィルタ層をＢのカラーフィルタ層１５Ｂ'に置換した点である。
【００２９】
ａ−Ｓｉ層は緑色領域の光を吸収しやすいため、ＴＦＴのａ−Ｓｉ層に緑色領域の光が
当たると他の色の領域の光の場合よりも光リーク電流が増大し易い。そして、Ｒのフィル
タ層は赤色領域の光を透過させるが緑色領域及び青色領域の光は吸収する。また、Ｇのフ
ィルタ層は緑色領域の光を透過させるが赤色領域及び青色領域の光は吸収する。また、Ｂ
のフィルタ層は青色領域の光を透過させるが赤色領域及び緑色領域の光は吸収する。
【００３０】
従って、ブラックマトリクス１４上にＧのカラーフィルタ層が形成されていると、Ｇの
カラーフィルタ層１５Ｇに入射したバックライトからの光は、赤色領域及び青色領域の光
はＧのカラーフィルタ層１５Ｇで吸収されるため、反射光には緑色領域の光が多くなる。
【００３１】
そのため、実施例１の液晶表示パネル１０Ａでは、Ｇのカラーフィルタ層１５Ｇにおい
て、アレイ基板ＡＲのＴＦＴに対応する位置、走査線２０に対応する位置及びＴＦＴに隣
接する位置の信号線２１に設けられているＧのカラーフィルタ層をＢのカラーフィルタ層
１５Ｂ'に置換したのである。このような構成とすることにより、ブラックマトリクス１
４上のＢのカラーフィルタ層１５Ｂ'は、緑色領域の光を吸収するから、反射光には緑色
領域の光が非常に少なくなる。
【００３２】
従って、上述したａ−Ｓｉ層の特性上、実施例１の液晶表示パネル１０Ａにおいては、
ＴＦＴの光リーク電流が減少するため、表示画質が良好な液晶表示パネルが得られる。ま
た、図１に示したようなパターンのカラーフィルタ基板ＣＦは、Ｇのカラーフィルタ層１
５Ｇの製造用マスクパターンを変更するだけで作製できるため、従来のカラーフィルタ基
板の製造工程をほとんど変更しなくても作製できる。
【００３３】
なお、実施例１の液晶表示パネル１０Ａでは、置換したカラーフィルタ層１５Ｂ'のサ
イズはブラックマトリクス１４よりも小さくする必要がある。理論的には、置換したカラ
ーフィルタ層１５Ｂ'のサイズはブラックマトリクス１４と同じであっても良いが、マス
クずれ等によって置換したカラーフィルタ層１５Ｂ'がブラックマトリクス１４からはみ
出ると青色領域の光が透過してしまう。このような状態となると、緑色領域の光に青色領
域の光が混ざった状態となるので、緑の色味に悪影響を与えてしまう。
【００３４】
更に、実施例１の液晶表示パネル１０Ａでは、アレイ基板ＡＲの信号線２１に対応する
位置のＧのカラーフィルタ層１５Ｇもブラックマトリクス上に形成されている。この信号
線２１に対応する位置の全てのＧのカラーフィルタ層１５ＧもＢのカラーフィルタ層に置
換してもよい。
【００３５】
しかしながら、信号線２１に対応する位置のＧのカラーフィルタ層１５Ｇは、他の色の
カラーフィルタ層も同一のブラックマトリクス１４上に隣接して形成されているために、
幅が細くなっている。このような幅が細いＢのカラーフィルタ層をブラックマトリクスか
らはみ出ないように形成することは技術的に困難である。加えて、ＴＦＴから離れた位置
からの反射光は、ＴＦＴに入射し難いために、ＴＦＴの光リーク電流に与える影響は少な
い。そのため、実施例１の液晶表示パネル１０Ａでは、ＴＦＴに隣接する信号線２１に対
応する位置のＧのカラーフィルタ層をＢのカラーフィルタ層１５Ｂ'で置換したが、その
他の信号線２１に対応する位置のＧのカラーフィルタ層をＢのカラーフィルタ層で置換す
ることは行わなかった。
【００３６】
また、実施例１の液晶表示パネル１０Ａでは、アレイ基板ＡＲのＴＦＴに対応する位置
、走査線２０に対応する位置及びＴＦＴに隣接する位置の信号線２１に設けられているＧ
のカラーフィルタ層をＢのカラーフィルタ層１５Ｂ'に置換した例を示した。しかしなが
ら、Ｒのカラーフィルタ層も緑色領域の光を吸収するため、Ｒのカラーフィルタ層を用い
ても同様の作用・効果を奏する。ただし、Ｂのカラーフィルタ層は、光の透過率が低いた
め、反射光の強度をより低くすることができるので、Ｒのカラーフィルタ層を用いた場合
よりも効果が顕著に現れる。
【実施例２】
【００３７】
実施例１の液晶表示パネル１０Ａでは、カラーフィルタ層１５Ｇにおいて、図１、図２
（ａ）及び図２（ｂ）に示すように、アレイ基板ＡＲのＴＦＴに対応する位置、走査線２
０に対応する位置及びＴＦＴに隣接する位置の信号線２１に対応する位置に設けられてい
るＧのカラーフィルタ層１５ＧをＢのカラーフィルタ層１５Ｂ'で置換した例を示した。
しかしながら、ＴＦＴから離れた部分のブラックマトリクス部分からの反射光はＴＦＴに
入射し難いので、走査線２０に対応する位置のＢのカラーフィルタ層１５Ｂ'で置換する
箇所はＴＦＴに隣接する位置のみでも良好な効果を奏する。
【００３８】
そこで、実施例２の液晶表示パネル１０Ｂでは、Ｇのカラーフィルタ層のうち、図３、
図４（ａ）及び図４（ｂ）に示すように、走査線２０に対応する位置においてはアレイ基
板ＡＲのＴＦＴに隣接する位置のみＢのカラーフィルタ層１５Ｂ'で置換した。このよう
にＢのカラーフィルタ層１５'で置換する面積が実施例１の液晶表示パネル１０Ａの場合
よりも小さくても、ＧのＴＦＴの近傍のブラックマトリクス１４の表面からの緑色領域の
反射光は非常に弱くなるので、実施例１の液晶表示パネル１０Ａの場合と同様の効果を奏
する。
【００３９】
なお、実施例１及び２では、透過型液晶表示パネルの例を示したが、本発明は、半透過
型液晶表示パネル等、バックライトを使用しているものであれば等しく適用可能である。
更に、従来から多く採用されているＴＮ方式の液晶表示パネルの場合だけでなく、ＶＡ方
式の液晶表示パネルやＭＶＡ方式の液晶表示パネルの場合においても等しく適用可能であ
る。
【００４０】
また、実施例１及び２では、カラーフィルタ基板ＣＦに設けるカラーフィルタとしてＲ
、Ｇ、Ｂの３原色からなるものを用いた例を示したが、これに限らずシアンＣ、マゼンタ
Ｍの少なくとも１色を加えた４色ないし６色からなるものも使用でき、更に多色からなる
ものとすることもできる。
【００４１】
なお、実施例１及び２では、ストライプ状に形成されたカラーフィルタの例を示したが
、本発明のカラーフィルタ基板CFに設けるカラーフィルタは、ドット配置されたカラーフ
ィルタ及び、デルタ配置されたカラーフィルタにおいても汎用可能である。
【図面の簡単な説明】
【００４２】
【図１】実施例１の液晶表示パネルにおけるカラーフィルタ基板側から見たブラックマトリクスを透視した数画素分の平面図である。
【図２】図１のＡ−Ａ線及びＡ'−Ａ'線に沿った模式断面図である。
【図３】実施例２の液晶表示パネルにおけるカラーフィルタ基板側から見たブラックマトリクスを透視した数画素分の平面図である。
【図４】図３のＢ−Ｂ線及びＢ'−Ｂ'線に沿った模式断面図である。
【図５】従来の液晶表示パネルのカラーフィルタ基板側から見た数画素分の平面図である。
【図６】図５のブラックマトリクスを透視した平面図である。
【図７】図５の各部分の模式断面図である。
【符号の説明】
【００４３】
１０Ａ〜１０Ｃ：液晶表示パネル、１１：透明基板：１２：ａ−Ｓｉ層、１３：透明基板
、１４：ブラックマトリクス、１５Ｒ、１５Ｇ、１５Ｂ：カラーフィルタ層、２０：走査
線、２１：信号線、ＡＲ：アレイ基板、ＣＦ：カラーフィルタ基板
【図１】
2008233728.tif 000003
【図２】
2008233728.tif 000004
【図３】
2008233728.tif 000005
【図４】
2008233728.tif 000006
【図５】
2008233728.tif 000007
【図６】
2008233728.tif 000008
【図７】
2008233728.tif 000009